(57)【特許請求の範囲】
【請求項１】
予め定められた項目名が任意の位置に表示された１つ又は複数の項目欄を有し、且つ該各項目欄に対応してそれぞれ設けられて該項目名に対応した記入事項が記入された記入欄を有する帳票の入力画像データを取込む画像入力手段と、
前記各項目欄に表示された前記項目名を予め記憶する第１の記憶手段と、
前記画像入力手段で取込まれた前記入力画像データから前記項目欄及び前記記入欄を切出し、前記第１の記憶手段に記憶されている前記項目名が表示された前記項目欄に対応して設けられた前記記入欄の記入事項を認識して認識結果を生成する認識手段と、
位置情報及び前記認識結果を記憶する第２の記憶手段と、
前記第１の記憶手段に記憶されている前記項目名を表示画面に一覧表示する項目一覧表示部と、
前記画像入力手段で取込まれた前記入力画像データを前記表示画面に表示する帳票画像表示部と、
前記認識結果のうち１つの項目について前記表示画面に表示する認識結果表示部と、
前記項目一覧表示部で表示された前記項目名のうちの１つを選択するための第１の選択信号、又は前記帳票画像表示部で表示された前記入力画像データ中の前記項目欄及び前記記入欄を選択するための第２の選択信号を、オペレータの操作に基づいて入力する選択入力手段と、
前記帳票画像表示部で表示された前記入力画像データ中の前記記入欄の記入事項と前記認識結果表示部で表示された前記認識結果とが不一致の場合、オペレータの操作に基づいて修正信号を入力する修正入力手段と、
前記第１の記憶手段に記憶されている前記予め定められた項目名のうち前記認識手段で生成された前記認識結果に存在するもののみを前記項目一覧表示部に表示させ、前記第１又は第２の選択信号が入力されたとき、前記帳票画像表示部で表示された前記入力画像データのうちの前記第１又は第２の選択信号に対応する前記項目欄中の項目名及び前記記入欄中の記入事項を前記位置情報に基づいて強調表示すると共に、該記入欄に記入された記入事項に対する前記認識結果を前記認識結果表示部に表示させ、前記修正信号が入力されたとき、前記認識結果表示部で表示された前記認識結果を前記記入欄中の記入事項に一致させる修正処理を行う制御手段と、
を備えたことを特徴とする文字認識装置。
【発明の詳細な説明】
【０００１】
【発明の属する技術分野】
本発明は、例えば、複数の企業から金融機関に対して提出される振込依頼票等のように、書式が統一されていない多種多様の帳票の読取りを行う文字認識装置（以下、「ＯＣＲ」という）に関するものである。
【０００２】
【従来の技術】
図２（ａ），（ｂ）は、帳票のレイアウト例を示す図である。
この図では、例えば、複数の企業から金融機関に対して提出される振込依頼票等のように、表示されている項目名はほぼ決まっているが、書式が統一されていない帳票１，２が示されている。図２（ａ）の帳票１では、項目名（例えば、「振込先」）が表示された項目欄１ａの右側に隣接して記入事項（例えば、「○×銀行」）が記入された記入欄１ｂが設けられている。項目欄１ａの下方には、項目名（例えば、「氏名」）が表示された項目欄１ｃが設けられ、この項目欄１ｃの右側に隣接して記入事項（例えば、「○山□夫」）が記入された記入欄１ｄが設けられている。図２（ｂ）の帳票２では、項目名（例えば、「氏名」）が表示された項目欄２ａの右側に隣接して記入事項（例えば、「○山□夫」）が記入された記入欄２ｂが設けられている。項目欄２ａの左下方には、項目名（例えば、「振込先」）が表示された項目欄２ｃが設けられ、この項目欄２ｃの右側に隣接して記入事項（例えば、「○×銀行」）が記入された記入欄２ｄが設けられている。
【０００３】
従来のＯＣＲでは、図２（ａ）中の帳票１の画像が画像入力部に取込まれた場合、認識部でこの画像中の項目欄１ａ及び記入欄１ｂが切出されて項目名に対応した記入事項の認識が行われる。この認識結果は、画像と共に表示部で表示される。この表示部では、画像中の記入事項の例えば下方に隣接して認識結果が表示される。表示された認識結果中には、修正処理の対象になる文字の位置にカーソルが表示される。オペレータは、画像中の文字と認識結果中の文字とをそれぞれ照合し、不一致の場合には入力部を操作してカーソルを不一致の文字の位置に移動させ、修正信号を入力する。修正信号が入力されたとき、不一致の文字を入力画像中の文字に一致させるように制御部で修正処理が行われる。
又、図２（ｂ）中の帳票２の画像が画像入力部に取込まれた場合も、上記と同様の処理が行われる。
【０００４】
【発明が解決しようとする課題】
しかしながら、従来のＯＣＲでは、図２のような書式が統一されていない帳票１，２に対する認識結果を表示部で表示する場合、この認識結果のレイアウトも帳票１，２のレイアウトに応じてまちまちなものになる。そのため、オペレータが表示画像中の文字と認識結果中の文字とを照合して修正及び確認作業を行う場合、オペレータに掛かる負担が多くなり、作業の効率が低下するという課題があった。
【０００５】
【課題を解決するための手段】
前記課題を解決するために、本発明のうちの請求項１に係る発明は、ＯＣＲにおいて、画像入力手段と、第１の記憶手段と、認識手段と、第２の記憶手段と、項目一覧表示部と、帳票画像表示部と、認識結果表示部と、選択入力手段と、修正入力手段と、制御手段とを備えている。
前記画像入力手段では、予め定められた項目名が任意の位置に表示された１つ又は複数の項目欄を有し、且つ該各項目欄に対応してそれぞれ設けられて該項目名に対応した記入事項が記入された記入欄を有する帳票の入力画像データを取込む。前記第１の記憶手段では、前記各項目欄に表示された前記項目名を予め記憶する。前記認識手段では、前記画像入力手段で取込まれた前記入力画像データから前記項目欄及び前記記入欄を切出し、前記第１の記憶手段に記憶されている前記項目名が表示された前記項目欄に対応して設けられた前記記入欄の記入事項を認識して認識結果を生成する。前記第２の記憶手段では、位置情報及び前記認識結果を記憶する。
前記項目一覧表示部では、前記第１の記憶手段に記憶されている前記項目名を表示画面に一覧表示する。前記帳票画像表示部では、前記画像入力手段で取込まれた前記入力画像データを前記表示画面に表示する。前記認識結果表示部では、前記認識結果のうち１つの項目について前記表示画面に表示する。前記選択入力手段では、前記項目一覧表示部で表示された項目名一覧中の前記項目名を選択するための選択信号を、オペレータの操作に基づいて入力する。前記修正入力手段では、前記帳票画像表示部で表示された前記入力画像データ中の前記記入欄の記入事項と前記認識結果表示部で表示された前記認識結果とが不一致の場合、オペレータの操作に基づいて修正信号を入力する。
更に、前記制御手段では、前記第１の記憶手段に記憶されている前記予め定められた項目名のうち前記認識手段で生成された前記認識結果に存在するもののみを前記項目一覧表示部に表示させ、前記第１又は第２の選択信号が入力されたとき、前記帳票画像表示部で表示された前記入力画像データのうちの前記第１又は第２の選択信号に対応する前記項目欄中の項目名及び前記記入欄中の記入事項を前記位置情報に基づいて強調表示（即ち、際立たせて表示）すると共に、該記入欄に記入された記入事項に対する前記認識結果を前記認識結果表示部に表示させ、前記修正信号が入力されたとき、前記認識結果表示部で表示された前記認識結果を前記記入欄中の記入事項に一致させる修正処理を行う構成になっている。
【０００６】
請求項１に係る発明では、前記のような構成を採用したことにより、認識動作では、先ず、画像入力手段で或る書式の帳票の画像が読込まれ、入力画像データに変換されて認識手段に送出される。認識手段では、帳票の項目欄及び記入欄が切出される。そして、第１の記憶手段に記憶されている項目名が表示された項目欄に対応して設けられた記入欄の記入事項が認識され、認識結果及び位置情報が生成される。認識結果及び位置情報は、第２の記憶手段に記憶される。第１の記憶手段に記憶されている項目名は、制御手段によって項目一覧表示部に送出されて表示される。特に、項目一覧には、認識結果に存在する項目のみが表示され、修正及び確認作業に不要な情報は表示されない。
入力画像データは、制御手段によって帳票画像表示部に送出されて表示される。認識結果は、制御手段によって認識結果表示部に送出されて表示される。オペレータは、選択入力手段から選択信号を入力して項目一覧表示部に表示されている項目を選択する。帳票画像表示部では、位置情報に基づき、オペレータが選択した項目に該当する項目欄及び記入欄がオペレータに分かるように強調表示される。認識結果表示部には、対応する項目名と認識結果とが表示される。他の書式の帳票を読取る場合も、同様の処理及び表示が行われる。
【０００７】
修正処理動作では、帳票画像表示部で表示された記入欄中の文字と認識結果表示部で表示された認識結果とが不一致の場合、オペレータは、修正入力手段を操作することにより、修正信号を入力する。修正信号が入力されたとき、認識結果表示部で表示された認識結果は、制御手段によって記入欄中の記入事項に一致させる修正処理が行われる。他の書式の帳票に対しても、同様の処理及び表示が行われる。
【００１２】
【発明の実施の形態】
第１の実施形態
図１は、本発明の第１の実施形態を示すＯＣＲの構成図である。
このＯＣＲは、画像入力手段１１を備えている。画像入力手段１１は、例えば、電荷結合素子（ＣＣＤ）センサやアナログ／ディジタル変換回路等からなる光電変換部を有し、例えば、図２（ａ），（ｂ）に示す帳票１又は２に光を照射して走査し、その反射光を電気信号の入力画像データＳ１１に変換して出力する機能を有している。画像入力手段１１の出力側には認識手段１２が接続され、該認識手段１２には帳票１，２の項目欄１ａ，１ｃ，２ａ，２ｃに表示された項目名（例えば、「振込先」、「氏名」等）を記憶データＳ１３として予め記憶する第１の記憶手段（例えば、メモリ）１３が接続されている。認識手段１２は、入力画像データＳ１１から項目欄１ａ，１ｃ，２ａ，２ｃ及び記入欄１ｂ，１ｄ，２ｂ，２ｄを切出し、記憶データＳ１３の項目名が表示された項目欄に対応して設けられた記入欄の記入事項を認識して認識結果Ｓ１２ａを生成すると共に、該項目欄１ａ，１ｃ，２ａ，２ｃ及び記入欄１ｂ，１ｄ，２ｂ，２ｄの帳票１，２上における位置を表す位置情報Ｓ１２ｂを生成する機能を有している。
【００１３】
認識手段１２の出力側には、判定手段１４、第２の記憶手段（例えば、メモリ）１５、及び制御手段１６が接続されている。判定手段１４は、認識結果Ｓ１２ａに対してエラーを判定してエラー情報Ｓ１４を生成する機能を有している。メモリ１５は、認識結果Ｓ１２ａ、位置情報Ｓ１２ｂ及びエラー情報Ｓ１４を記憶するものである。制御手段１６は、文字認識プログラムに従ってこのＯＣＲ全体を制御する機能を有している。制御手段１６には、オペレータの操作に基づいて選択信号Ｓ１７ａを入力する選択入力手段及び修正信号Ｓ１７ｂを入力する修正入力手段（例えば、キーボード）１７が接続されている。制御手段１６の出力側には、画面を表示するモニタ１８が接続されている。モニタ１８の表示画面は、記憶データＳ１３を第１の位置に表示する項目一覧表示部（例えば、項目一覧表示ウィンドウ）１８ａと、入力画像データＳ１１を第２の位置に表示する帳票画像表示部（例えば、画像表示ウィンドウ）１８ｂと、認識結果Ｓ１２ａを第３の位置に表示する認識結果表示部（例えば、認識結果表示ウィンドウ）１８ｃとで構成されている。
【００１４】
図３は、図１中のモニタ１８における表示画面の例を示す図である。この図を参照しつつ、図１のＯＣＲにおける認識動作（１）、及び修正処理動作（２）を説明する。
（１）  認識動作
認識動作では、先ず、画像入力手段１１で帳票２に光が照射され、その反射光から帳票２の画像が読込まれ、入力画像データＳ１１に変換されて認識手段１２に送出される。認識手段１２では、例えば、入力画像データＳ１１の縦方向及び横方向の画素数のヒストグラムが算出され、このヒストグラムが予め設定された閾値以上になった場合に帳票２の項目欄２ａ，２ｃ及び記入欄２ｂ，２ｄが切出される。そして、記憶データＳ１３の項目名が表示された項目欄に対応して設けられた記入欄の記入事項が、文字認識プログラムに基づいて認識され、認識結果Ｓ１２ａ及び位置情報Ｓ１２ｂが生成される。認識結果Ｓ１２ａは、判定手段１４へ送出されて例えば文字の標準パターンとの類似度が計算され、この類似度が所定値よりも低い場合にはエラーとして判定されてエラー情報Ｓ１４が生成される。認識結果Ｓ１２ａ、位置情報Ｓ１２ｂ及びエラー情報Ｓ１４は、メモリ１５に記憶される。
【００１５】
入力画像データＳ１１、記憶データＳ１３、認識結果Ｓ１２ａ、位置情報Ｓ１２ｂ及びエラー情報Ｓ１４は、制御手段１６によってモニタ１８へ送出される。そして、記憶データＳ１３は項目一覧表示ウィンドウ１８ａに表示され、入力画像データＳ１１が画像表示ウィンドウ１８ｂに表示される。認識結果Ｓ１２ａは、認識結果表示ウィンドウ１８ｃに表示される。
オペレータは、キーボード１７を操作することにより、項目一覧表示ウィンドウ１８ａ中の参照したい項目の位置にカーソルＣを表示し、選択信号Ｓ１７ａを入力して項目を選択する。画像表示ウィンドウ１８ｂでは、位置情報Ｓ１２ｂに基づき、オペレータが選択した項目に該当する項目欄２ｃ及び記入欄２ｄがオペレータに分かるように強調表示される。この場合、例えば、明度を強くする、カラーパレット等の色変換手段を用いて色相を変化させる、或いは反転表示する等の方法が用いられる。認識結果表示ウィンドウ１８ｃには、対応する項目名と認識結果とが表示される。
【００１６】
一方、オペレータは、キーボード１７を操作することにより、画像表示ウィンドウ１８ｂ中の参照したい項目欄及び記入欄の位置にカーソルＣを表示し、選択信号を入力して項目欄及び記入欄を選択することもできる。項目一覧表示ウィンドウ１８ａでは、オペレータが選択した項目が強調表示される。認識結果表示ウィンドウ１８ｃには、対応する項目名と認識結果とが表示される。
帳票１を読取る場合も、同様の処理及び表示が行われる。
【００１７】
（２）  修正処理動作
画像表示ウィンドウ１８ｂで表示された記入欄２ｄ中の文字と認識結果表示ウィンドウ１８ｃで表示された認識結果とが不一致の場合、オペレータは、キーボード１７を操作することにより、修正信号Ｓ１７ｂを入力する。修正信号Ｓ１７ｂが入力されたとき、認識結果表示ウィンドウ１８ｃで表示された認識結果は、制御手段１６によって記入欄２ｄ中の文字に一致させる修正処理が行われる。帳票１に対しても、同様の処理及び表示が行われる。
以上のように、この第１の実施形態では、記憶データＳ１３を項目一覧表示ウィンドウ１８ａに一覧表示し、オペレータがこの記憶データＳ１３の中から項目を選択できるようにしたので、項目欄及び記入欄のレイアウトがまちまちの帳票１，２であっても、同一の手順で認識結果に対する修正及び確認作業を行うことができる。更に、オペレータが画像表示ウィンドウ１８ｂ中の項目欄及び記入欄を選択できるようにしたので、より簡単な手順で認識結果に対する修正及び確認作業を行うことができる。
【００１８】
第２の実施形態
図４は、本発明の第２の実施形態を示す図１における項目一覧表示ウィンドウ１８ａの構成図である。
この項目一覧表示ウィンドウ１８ａには、記憶データＳ１３に含まれる項目名が一覧表示されている。これらの項目名は、例えばカラーパレット等の色変換手段により、エラー情報Ｓ１４の内容に応じて異なる色相で表示されるようになっている。
【００１９】
本実施形態のＯＣＲにおいて、項目一覧表示ウィンドウ１８ａに表示されている各項目は、これらの項目に対応した記入事項の認識結果Ｓ１２ａに対するエラー情報Ｓ１４の内容に応じて異なる色相で表示される。例えば、エラー情報Ｓ１４が正常を示す場合は「黒」、エラーを示す場合は「ピンク」、文字認識に失敗したことを示す場合は「赤」で表示される。オペレータは、これらの項目の色相に基づいてエラー情報Ｓ１４の内容を把握して修正及び確認作業を行う。
以上のように、この第２の実施形態では、項目一覧表示ウィンドウ１８ａに表示されている各項目を、エラー情報Ｓ１４の内容に応じて異なる色相で表示するようにしたので、認識結果を表示する前にオペレータがエラー情報Ｓ１４の内容を確認することができる。そのため、オペレータに対して注意を喚起することができ、確認時にエラーを見逃す等のミスを低減することができる。
【００２０】
第３の実施形態
図５は、本発明の第３の実施形態を示す図１における項目一覧表示ウィンドウ１８ａの構成図である。
この項目一覧表示ウィンドウ１８ａには、記憶データＳ１３に含まれる項目名が一覧表示され、これらの項目名に隣接してエラー情報Ｓ１４の内容を表す文字データが表示されるようになっている。
【００２１】
本実施形態のＯＣＲにおいて、項目一覧表示ウィンドウ１８ａに表示されている各項目には、これらの項目に対応した記入事項の認識結果Ｓ１２ａに対するエラー情報Ｓ１４の内容を表す文字データが同時に表示される。オペレータは、これらの文字データに基づいてエラー情報Ｓ１４の内容を把握して修正及び確認作業を行う。
以上のように、この第３の実施形態では、項目一覧表示ウィンドウ１８ａに表示されている各項目と、エラー情報Ｓ１４の内容を表す文字データとを同時に表示するようにしたので、モニタ１８がモノクロ（白黒）の液晶等で構成されている場合でも、認識結果を表示する前にオペレータがエラー情報Ｓ１４の内容を確認することができる。そのため、オペレータに対して注意を喚起することができ、確認時にエラーを見逃す等のミスを低減することができる。
【００２２】
第４の実施形態
図６は、本発明の第４の実施形態を示す帳票のレイアウト例を示す図であり、従来の図２中の要素と共通の要素には共通の符号が付されている。
この帳票１Ａでは、項目名（例えば、「氏名」）が表示された項目欄１ｃが設けられ、この項目欄１ｃの右側に隣接して記入事項（例えば、「○山□夫」）が記入された記入欄１ｄが設けられている。
本実施形態のＯＣＲでは、図１中の制御手段１６に代えて、図示しない異なる構成の制御手段１６Ａが設けられている。この制御手段１６Ａは、記憶データＳ１３に含まれる項目名のうちの認識手段１２で生成された認識結果Ｓ１２に対応するもののみを項目一覧表示ウィンドウ１８ａに送出する構成になっている。
【００２３】
図７は、図６に対する項目一覧表示ウィンドウ１８ａの構成図である。
本実施形態のＯＣＲにおいて、図６の帳票１Ａの画像が読込まれた場合、記憶データＳ１３に含まれる項目名には「氏名」及び「振込先」があるが、この帳票１Ａ上に存在する項目は「氏名」のみであるため、認識手段１２は「氏名」を認識することはできるが、「振込先」を認識することができない。従って、メモリ１５には、「振込先」に対する認識結果Ｓ１２が存在しないことを意味する情報か、或いは「振込先」が帳票上に存在しないことを意味するエラー情報Ｓ１４が記憶される。そして、図７に示すように、項目一覧表示ウィンドウ１８ａには、記憶データＳ１３に含まれる項目名の中から「振込先」を除いた項目、即ち「氏名」のみが表示される。又、記憶データＳ１３に含まれる項目名に、例えば、「氏名」や「お名前」のような同義の複数の単語がある場合でも、項目一覧表示ウィンドウ１８ａには「氏名」のみが表示される。オペレータは、この表示された「氏名」に基づいて修正及び確認作業を行う。
【００２４】
以上のように、この第４の実施形態では、項目一覧表示ウィンドウ１８ａには、記憶データＳ１３に含まれる項目名のうちの認識手段１２で生成された認識結果Ｓ１２に対応するもののみを表示するようにしたので、記憶データＳ１３に含まれる項目名のうちの不要なものがマスク（隠蔽）される。そのため、多種多様な帳票１，２に対応できると共に、修正及び確認作業におけるオペレータの負荷を低減できる。
【００２５】
尚、本発明は上記実施形態に限定されず、種々の変形が可能である。その変形例としては、例えば次の（ａ）〜（ｄ）ようなものがある。
（ａ）  項目一覧表示ウィンドウ１８ａ、画像表示ウィンドウ１８ｂ及び認識結果表示ウィンドウ１８ｃは、モニタ１８の表示画面上でそれぞれ独立したウィンドウになっているが、１つのウィンドウや表示画面を３つの領域に区切ってそれぞれ表示してもよい。
（ｂ）  認識結果表示ウィンドウ１８ｃには、最低限必要な項目として項目名と認識結果を表示しているが、例えばエラー情報等、メモリ１５に含まれる他のデータを表示したり、エラー情報の内容に応じて表示の色相を変更してもよい。
【００２６】
（ｃ）  項目一覧表示ウィンドウ１８ａ及び認識結果表示ウィンドウ１８ｃには、エラー情報に限らず、例えば「右詰め表示」や「左詰め表示」等、正常処理を含む認識処理の種々の結果を表示してもよい。
（ｄ）  第３の実施形態における図５中のエラー情報Ｓ１４の内容を表す文字データは、このエラー情報Ｓ１４の内容を表す記号で表示してもよい。
【００２７】
【発明の効果】
以上詳細に説明したように、請求項１に係る発明によれば、項目一覧には認識結果に存在する項目のみを表示し、一覧中の項目名の選択により、イメージ表示エリアの対応箇所を強調表示すると共に、対応する認識結果を表示する構成にしたので、確認すべき項目が項目一覧に表示され、オペレータが認識結果を確認するために項目を選択する場合に、どのようなレイアウトの帳票であっても項目一覧のみ探せばよく、同一の手順で修正及び確認作業を行うことができる。つまり、項目一覧には、帳票上に存在しない項目、即ち認識結果が存在しない項目名は表示されないので、オペレータは認識結果が存在しない項目を選択してしまう等の不要な操作を行わなくて済むようになり、修正及び確認作業におけるオペレータの負荷を低減できる。
【図面の簡単な説明】
【図１】本発明の第１の実施形態のＯＣＲの構成図である。
【図２】帳票のレイアウト例を示す図である。
【図３】図１における表示画面例を示す図である。
【図４】本発明の第２の実施形態の項目一覧表示ウィンドウの構成図である。
【図５】本発明の第３の実施形態の項目一覧表示ウィンドウの構成図である。
【図６】本発明の第４の実施形態の帳票のレイアウト例を示す図である。
【図７】図６に対する項目一覧表示ウィンドウ１８ａの構成図である。
【符号の説明】
１，２                            帳票
１ａ，１ｃ，２ａ，２ｃ            項目欄
１ｂ，１ｄ，２ｂ，２ｄ            記入欄
１１                              画像入力手段
１２                              認識手段
１３，１５                        メモリ
１４                              判定手段
１６，１６Ａ                      制御手段
１７                              キーボード
１８                              モニタ
１８ａ                            項目一覧表示ウィンドウ
１８ｂ                            画像表示ウィンドウ
１８ｃ                            認識結果表示ウィンドウ
【図１】
0004047454.tif 000002
【図２】
0004047454.tif 000003
【図３】
0004047454.tif 000004
【図４】
0004047454.tif 000005
【図５】
0004047454.tif 000006
【図６】
0004047454.tif 000007
【図７】
0004047454.tif 000008